(57)【要約】【課題】  確実な作動と安全な設置が可能な動物用罠装置を提供することを課題とする。【解決手段】  本考案による動物用罠装置は、基台と、回動自在に前記基台上に固定された一対のＵ字状ワイヤ保持枠と、前記Ｕ字状ワイヤ保持枠内において一端が回動自在に前記基台上に固定されほぼ水平になるよう上向きに付勢された踏み板と、回動により前記一対のＵ字状ワイヤ保持枠を規制及び解放することのできるロック手段とからなることを特徴とする。【選択図】図１
0003165716.tif 000002
【実用新案登録請求の範囲】
【請求項１】
基台と、回動自在に前記基台上に固定された一対のＵ字状ワイヤ保持枠と、前記Ｕ字状ワイヤ保持枠内において一端が回動自在に前記基台上に固定されほぼ水平になるよう上向きに付勢された踏み板と、回動により前記一対のＵ字状ワイヤ保持枠を規制及び解放することのできるロック手段とからなることを特徴とする動物捕獲用罠装置。
【請求項２】
前記ロック手段は、ロック付勢手段により前記Ｕ字状ワイヤ保持枠規制方向に付勢されていることを特徴とする請求項１記載の動物捕獲用罠装置。
【請求項３】
前記ロック手段は、前記踏み板に連接された突起部からなることを特徴とする請求項１または２記載の動物捕獲用罠装置。
【請求項４】
前記それぞれのＵ字状ワイヤ保持枠の下側には、前記それぞれのＵ字状ワイヤ保持枠を下側から加圧するよう付勢されたトリガー板が設けられていることを特徴とする請求項１乃至３のいずれかに記載の動物捕獲用罠装置。
【請求項５】
前記それぞれのＵ字状ワイヤ保持枠は、外周部に溝が形成されていることを特徴とする請求項１乃至４のいずれかに記載の動物捕獲用罠装置。
【考案の詳細な説明】
【技術分野】
【０００１】  本考案は、猪、鹿等の有害野生動物を捕獲するための罠装置に関する。
【背景技術】
【０００２】  従来から、猪や鹿等の有害野生動物を捕獲するための罠として、踏み板の反動によるワイヤ発射タイプの装置が提案されている。【０００３】  例えば、特許文献１には、踏み板の上面に半円弧状の作動体を互いに対向させて載置し、各作動体の回動端部を枠体の受け桟に載置し、縮小方向に付勢されたループを有するワイヤを各作動体の外周に懸回してリング状に保形した野生動物用罠が開示されている。しかし、この装置では作動体の支点と受け桟との距離が大きいため、踏み板の降下距離が長くならないと作動しにくいという問題点がある。また、ワイヤを設置する際には、安全のため規制ピンを枠体に差し込み、使用する直前にこのピンを抜き取らなければならないので、手間が掛かる。【０００４】  また、特許文献２には、踏み板と半枠状に構成された１対の作動部材と、この作動部材を指示する枠体と、付勢手段によりループ状に保持された捕獲ワイヤとからなる動物捕獲用罠が開示されている。この装置では、枠体に切り欠き縁を設け、この切り欠き縁により作動部材の回動を発生させるため、作動部材の初動速度を向上し確実に動物を捕獲できるとされる。しかしながら、この装置においては、踏み板と作動部材は一体であるが枠体は分離されているため、ワイヤを設置する際に特別な安全装置を取り付けた上で行わなければならない。【０００５】  さらに、特許文献３では、本体台座の内側壁面に跳ね上げストッパーを装着した踏み板を構成する中軸を設け、本体台座に設けた中軸の両端部に装着した跳ね上げスプリングと接合したＵ字アームを本体台座の外側壁面に装着した猪捕獲補助器具が開示されている。しかしながらこの装置では、地面に凹部を形成して設置しなければならないため、表面が柔らかいところではうまく作動ができない可能性がある。また、跳ね上げストッパーの構成が詳しく記述されていないため、羽根部の保持と作動時の解放の応力配分が困難であるという問題点がある。
【特許文献】
【０００６】
【特許文献１】実用新案登録第３１２７８３２号公報
【特許文献２】実用新案登録第３１５４１９５号公報
【特許文献３】実用新案登録第３１６０１５０号公報
【考案の開示】
【考案が解決しようとする課題】
【０００７】  本考案は上記従来技術の問題点に鑑みてなされたものであり、確実な作動と安全な設置が可能な動物用罠装置を提供することを課題とする。
【課題を解決するための手段】
【０００８】  上記課題を解決するため本考案による動物用罠装置は、基台と、回動自在に前記基台上に固定された一対のＵ字状ワイヤ保持枠と、前記Ｕ字状ワイヤ保持枠内において一端が回動自在に前記基台上に固定されほぼ水平になるよう上向きに付勢された踏み板と、回動により前記一対のＵ字状ワイヤ保持枠を規制及び解放することのできるロック手段とからなることを特徴とする。【０００９】  前記ロック手段は、ロック付勢手段により前記Ｕ字状ワイヤ保持枠規制方向に付勢されていることが好適であり、前記踏み板に連接された突起部により構成することができる。【００１０】  また、前記それぞれのＵ字状ワイヤ保持枠の下側には、前記それぞれのＵ字状ワイヤ保持枠を下側から加圧するよう付勢されたトリガー板が設けられていることが望ましい。【００１１】  さらに、前記それぞれのＵ字状ワイヤ保持枠は、外周部に溝が形成されていることが好適である。
【考案の効果】
【００１２】  本考案による動物用罠装置は、基台上にＵ字状ワイヤ保持枠と踏み板とロック手段を配置しており、踏み板の作動がこの基台上で行われるため小さな踏み板作動距離でＵ字状ワイヤ保持枠を回動させることができる。これにより、罠の設置場所を選ばず確実な作動を期待することができる。また、本装置によれば、Ｕ字状ワイヤ保持枠をほぼ水平に倒すことによりロック手段がＵ字状ワイヤ保持枠の回動を規制するので、ワイヤの設置を安全かつ確実に行うことができる。
【考案を実施するための最良の形態】
【実施例】
【００１３】  以下、図面に基づいて本考案の好適な実施例について説明する。図１に本考案による罠装置の一実施例の平面図を示す。図１は図２に示した平面図における踏み板３１を取り除いた状態を示す。基台１上には、ワイヤ保持枠スタンド２ａ、２ｂが配置され、ワイヤ保持枠受け７ａ、７ｂにより一対のＵ字状ワイヤ保持枠１１ａ、１１ｂを回動自在に保持している。この実施例においては、一対のＵ字状ワイヤ保持枠１１ａ、１１ｂは全体として長円形をなすよう配置されている。【００１４】  ワイヤ保持枠スタンド２ａ、２ｂのいずれか近傍には踏み板スタンド３が配置され、踏み板支承腕５が上下に回動自在に接続されている。踏み板支承腕５上の固定ネジ穴６を通して踏み板３１が固定されている。この状態を図３に示した。踏み板スタンド３は踏み板用バネ９により図１の上部ワイヤ保持枠スタンド２ａ側に付勢されているが、踏み板スタンド３の端部に形成されたロック爪４がＵ字状ワイヤ保持枠１１ａ、１１ｂ上に係合することにより、踏み板３１を水平に保持している。【００１５】  ワイヤ保持枠スタンド２ｂの両側の基台１上には、トリガー板２１ａ、２１ｂが配置され、トリガーバネ２２ａ、２２ｂによりＵ字状ワイヤ保持枠１１ａ、１１ｂを加圧する方向に付勢されている。【００１６】  上記実施例のロック状態の正面図を図５に示す。この図は図１の罠装置をワイヤ保持枠スタンド２ｂ側から見たものである。Ｕ字状ワイヤ保持枠１１ａ、１１ｂを両側に押し広げると、図３に示したようにロック爪４により位置規制されるため、図５に示したとおり、ほぼ水平に保持される。この罠装置を使用する際は、このＵ字状ワイヤ保持枠１１ａ、１１ｂの周囲に縮小方向に付勢されたループ状捕捉部を有する捕捉ワイヤ（図示してない、市販のものが利用できる）を巡らして保持しておく。この捕捉ワイヤの例としては、例えば特許文献２の図４に示されている。このワイヤの取付を容易にするため、Ｕ字状ワイヤ保持枠１１ａ、１１ｂの外周にはそれぞれ溝部１２を設けることが望ましい。【００１７】  この実施例では、トリガー板２１ａ、２１ｂが具備された装置を示した。この場合、後述するようにトリガー板２１ａ、２１ｂの弾性力によりＵ字状ワイヤ保持枠１１ａ、１１ｂ解放時の初動を補助するため、安定した動作性を確保することができる。図５に示したＵ字状ワイヤ保持枠１１ａ、１１ｂの準備状態の位置はほぼ水平にされているが、両方のＵ字状ワイヤ保持枠１１ａ、１１ｂを水平からやや下向きに設定することも有効である。【００１８】  次に、上記実施例の作動について説明する。Ｕ字状ワイヤ保持枠１１ａ、１１ｂをロック爪４によりほぼ水平に位置規制した状態で捕捉ワイヤを取り付け、所望する場所に設置しておく。動物がこの装置上に来て踏み板３１を踏むと、図４に示したように踏み板用バネ９の弾性力に逆らって下方に降下する。この降下によりロック爪４がＵ字状ワイヤ保持枠１１ａ、１１ｂから外れるため、Ｕ字状ワイヤ保持枠１１ａ、１１ｂは解放される。この際、トリガー板２１ａ、２１ｂの弾性力によりＵ字状ワイヤ保持枠１１ａ、１１ｂは上方へ持ち上げられ、それに伴って捕捉ワイヤがＵ字状ワイヤ保持枠１１ａ、１１ｂから外れ、動物の足に掛かる。図６にＵ字状ワイヤ保持枠１１ａ、１１ｂが作動した状態を示す。【００１９】  上記実施例においては、トリガー板２１ａ、２１ｂを用いた罠装置について説明したが、トリガー板２１ａ、２１ｂを使用しない装置も可能である。この場合、Ｕ字状ワイヤ保持枠１１ａ、１１ｂの準備状態が図４に示したほぼ水平方向よりも、やや上向き（図６に示した状態に近い方向）に設定すると、ロック爪４が外れた際に捕捉ワイヤの収縮力によりＵ字状ワイヤ保持枠１１ａ、１１ｂが跳ね上がりやすくなる。【００２０】  また、図１に示した実施例では、ロック爪４を具備した踏み板スタンド３をワイヤ保持枠スタンド２ａ側に配置したが、ロック爪４を踏み板スタンド３とは別にワイヤ保持枠スタンド２ｂ側に回動自在に設け、踏み板３１の降下に連動してロックを解放するよう構成することもできる。
【産業上の利用可能性】
【００２１】  以上説明したように、本考案による動物用罠装置は確実な作動と安全な設置を可能にできるため、有害動物捕獲に極めて有用である。
【図面の簡単な説明】
【００２２】
【図１】本考案の実施例において、踏み板を除去した状態を示す平面図である。
【図２】図１に示した実施例の踏み板を設置した状態を示す平面図である。
【図３】図１に示した実施例において、Ｕ字状ワイヤ保持枠を準備した状態を示す断面図である。
【図４】図３に示した実施例において、踏み板が作動した状態を示す断面図である。
【図５】図１に示した実施例において、Ｕ字状ワイヤ保持枠を準備した状態を示す正面図である。
【図６】図５に示した実施例において、Ｕ字状ワイヤ保持枠が作動した状態を示す正面図である。
【符号の説明】
【００２３】１                  基台
２ａ、２ｂ          ワイヤ保持枠スタンド
３                  踏み板スタンド
４                  ロック爪
５                  踏み板支承腕
６                  固定ネジ穴
７ａ、７ｂ          ワイヤ保持枠受け
８                  空洞部
９                  踏み板用バネ
１１ａ、１１ｂ      ワイヤ保持枠
１２                溝部
２１ａ、２１ｂ      トリガー板
２２ａ、２２ｂ      トリガーバネ
３１                踏み板
３２                踏み板固定ネジ
【図１】
0003165716.tif 000003
【図２】
0003165716.tif 000004
【図３】
0003165716.tif 000005
【図４】
0003165716.tif 000006
【図５】
0003165716.tif 000007
【図６】
0003165716.tif 000008